【事件の表示】
　特許第３３０７３８５号「パチンコ機」の請求項１に係る特許に対する特許異議の申立てについて、次のとおり決定する。
【結　論】
　特許第３３０７３８５号の請求項１に係る特許を維持する。
【理　由】
１・手続の経緯
　特許第３３０７３８５号の請求項１に係る発明についての特許出願は、平成３年１１月２８日に出願された特許出願（特願平３−３４０１９９号）の一部が、平成１２年７月１０日に、特許法第４４条第１項の規定により、新たな特許出願として分割されたものであって、平成１４年５月１７日にその特許権の設定登録がなされ、その後、特許異議申立人・鈴木暁子より特許異議の申立てがなされたものである。
２・特許異議の申立てについて
（２−１）本件発明
　特許第３３０７３８５号の請求項１に係る発明（以下、本件発明という）は、その特許請求の範囲の請求項１に記載された次の事項により特定されるとおりのものである。
「図柄表示装置の表示結果が大当り図柄を表示したことに基づいて大当り遊技状態を出現することが可能であって、前記大当り図柄の出現確率を所定の範囲内で設定変更可能な確率設定手段を備えたパチンコ機において、
　正規操作によって前記確率設定手段で設定した出現確率を記憶する設定確率記憶手段と、
　遊技中において、前記設定確率記憶手段に記憶された値と前記確率設定手段によって設定される予め定められた正規の設定値とを比較する比較手段と、
　該比較手段の比較結果が一致しないときに、前記設定確率記憶手段の記憶値を前記確率設定手段によって設定し得る範囲内の中央値に更新する更新手段と、を備えたことを特徴とするパチンコ機」
（２−２）申立ての理由の概要
　申立人は、甲第１号証（特開平２−１０７２８３号公報）、甲第２号証（特開昭６４−４９５８６号公報）、甲第３号証（特開昭６２−１４８７８号公報）、甲第４号証（特開昭６２−２６６０８６号公報）及び甲第５号証（特開平３−９９６８６号公報）を引用し、本件発明は、当業者が甲第１号証及び甲第２号証に記載された各発明に基いて、又は当業者が甲第１号証ないし甲第５号証に記載された各発明に基いて、容易に発明をすることができたものであるから特許法第２９条第２項の規定に違反して特許されたものであり、その特許は、取り消されるべきである旨主張している。
（２−３）甲号各証に記載された発明
　甲第１号証には、
特に、第３頁左下欄第１０〜１２行、第４頁右上欄第２０行〜左下欄第１５行の記載からみて、
「数値表示器２７に当りモード時の表示用数値が表示されることに基づいて当り時の処理が可能であって、前記当りモードの生起確率をモード決定カウンタ８１によって歩進される数値の最終値を変化させて設定する確率設定器のディップスイッチ４を備えたパチンコ機において、
　電源投入時に確率設定器のディップスイッチ４によってモード決定カウンタ８１によって歩進される数値の最終値を設定し、
　遊技中において、前記モード決定カウンタ８１の数値と前記確率設定器のディップスイッチ４によって設定されている最終値とを比較し、
　モード決定カウンタ８１の数値が最終値以上でない場合にはモード決定カウンタ８１の数値が１だけ歩進され、モード決定カウンタ８１の数値が最終値以上の場合にはモード決定カウンタ８１の数値が初期値の１に設定されるパチンコ機」を構成とする発明が、
甲第２号証には、
特に、第４頁左下欄第１０行〜右下欄第１行、第８頁右上欄第１５，１６行、第９頁左下欄第２０行〜右下欄第１１行、第１０頁左下欄第７〜１１行の記載からみて、
「回転ドラム４の数字絵柄“７”が方向ライン上のいずれかに３個揃ったことに基づいて大ボーナス遊戯に移行することが可能であって、割数スイッチ４３を備えたパチンコ球を用いた遊戯機において、
　電源投入時に前記割数スイッチ４３により割数を設定し、
　遊技中において、今現在如何なる割数設定によりゲームが行われているかをチェックし、
　“１”〜“６”までの６段階ある割数が、通常は、“３”に設定されるパチンコ球を用いた遊戯機」を構成とする発明が、
甲第３号証には、
特に、第２頁右上欄第９〜１５行の記載からみて、
「回転ドラム表示機構１４の表示が停止したときの表示状態の組合わせに基づいてフィーバー状態を出現することが可能な弾球遊技機において、
　遊技中に異常判別用フラグをチェックして、そのフラグ内容が変化していれば記憶手段の制御データを初期化する異常制御防止手段を備えた弾球遊技機」を構成とする発明が、
甲第４号証には、
特に、第２頁右上欄第３〜８行の記載からみて、
「回転ドラム１６ａ，１６ｂ、１６ｃが任意の位置で停止し、そのとき、判定ライン１８に沿う絵柄の組合わせが予め定める絵柄の組合わせとなったときに、所定の賞品（コイン）が払出される仕組みになっている回転式組合せ遊技機において、
　遊技中に異常判別用フラグをチェックして、そのフラグ内容が変化していれば記憶手段の制御データを初期化する異常制御防止手段を備えた回転式組合せ遊技機」を構成とする発明が、
甲第５号証には、
特に、第６頁右上欄第２〜５行の記載からみて、
「パチンコ機において、
　遊技中にチェックデータ１，２を書き込み、そしてそのデータ１，２が破壊されていればＲＡＭ等の初期化を行うパチンコ機」を構成とする発明が、
それぞれ記載されているものと認められる。
（２−４）本件請求項１に係る発明と甲号各証に記載された発明との対比及び判断
　そこで、本件請求項１に係る発明（前者）と甲第１号証に記載された発明（後者）とを対比するに、
後者の
「数値表示器２７に当りモード時の表示用数値が表示される」、「当り時の処理」、「当りモードの生起確率」、「モード決定カウンタ８１によって歩進される数値の最終値を変化させて設定する」、「確率設定器のディップスイッチ４」、「電源投入時に確率設定器のディップスイッチ４」及び「確率設定器のディップスイッチ４によって設定されている最終値」
がそれぞれの機能に照らし、それぞれ
前者の
「図柄表示装置の表示結果が大当り図柄を表示した」、「大当り遊技状態を出現すること」、「大当り図柄の出現確率」、「所定の範囲内で設定変更可能な」、「確率設定手段」、「正規操作」及び「確率設定手段によって設定される予め定められた正規の設定値」
に相当するものと認められるから、
両者は、
「図柄表示装置の表示結果が大当り図柄を表示したことに基づいて大当り遊技状態を出現することが可能であって、前記大当り図柄の出現確率を所定の範囲内で設定変更可能な確率設定手段を備えたパチンコ機」である、
点において一致し、
前者が、確率設定手段で設定した出現確率を記憶する設定確率記憶手段と、遊技中において、前記設定確率記憶手段に記憶された値と前記確率設定手段によって設定される予め定められた正規の設定値とを比較する比較手段と、該比較手段の比較結果が一致しないときに、前記設定確率記憶手段の記憶値を前記確率設定手段によって設定し得る範囲内の中央値に更新する更新手段と、を備えている、
のに対し、
後者が、かかる構成を備えていない、
点において相違するものと認められる。
　そこで、甲第２ないし甲第４号証に記載された各発明をみるに、
甲第２号証に記載された発明の
「回転ドラム４の数字絵柄“７”が方向ライン上のいずれかに３個揃った」及び「大ボーナス遊戯に移行」
がそれぞれの機能に照らし、それぞれ
前者の
「図柄表示装置の表示結果が大当り図柄を表示した」及び「大当り遊技状態を出現」
に相当するものと認められるから、
甲第２号証に記載された発明には、
「図柄表示装置の表示結果が大当り図柄を表示したことに基づいて大当り遊技状態を出現することが可能であって、割数スイッチ４３を備えたパチンコ球を用いた遊戯機において、
　電源投入時に前記割数スイッチ４３により割数を設定し、
　遊技中において、今現在如何なる割数設定によりゲームが行われているかをチェックし、
　“１”〜“６”までの６段階ある割数が、通常は、“３”に設定されるパチンコ球を用いた遊戯機」という構成が、
また、
甲第３号証に記載された発明の
「回転ドラム機構１４の表示が停止したときの表示状態の組合わせ」、「フィーバー状態」及び「弾球遊技機」
がそれぞれの機能に照らし、それぞれ
前者の
「図柄表示装置の表示結果が大当り図柄を表示したこと」、「大当り遊技状態」及び「パチンコ機」
に相当するものと認められるから、
甲第３号証に記載された発明には、
「図柄表示装置の表示結果が大当り図柄を表示したことに基づいて大当り遊技状態を出現することが可能なパチンコ機において、
　遊技中に異常判別用フラグをチェックして、そのフラグ内容が変化していれば記憶手段の制御データを初期化する異常制御防止手段を備えたパチンコ機」という構成が、
また、
甲第４号証に記載された発明の
「回転ドラム１６ａ，１６ｂ、１６ｃが任意の位置で停止し、そのとき、判定ライン１８に沿う絵柄の組合わせが予め定める絵柄の組合わせとなったときに、所定の賞品（コイン）が払出される仕組みになっている」
がその機能に照らし、
前者の
「図柄表示装置の表示結果が大当り図柄を表示したことに基づいて大当り遊技状態を出現することが可能」
に相当するものと認められるから、
甲第４号証に記載された発明には、
「図柄表示装置の表示結果が大当り図柄を表示したことに基づいて大当り遊技状態を出現することが可能な回転式組合せ遊技機において、
　遊技中に異常判別用フラグをチェックして、そのフラグ内容が変化していれば記憶手段の制御データを初期化する異常制御防止手段を備えた回転式組合せ遊技機」という構成が、
また、
甲第５号証に記載された発明には、
「パチンコ機において、
　遊技中にチェックデータ１，２を書き込み、そしてそのデータ１，２が破壊されていればＲＡＭ等の初期化を行うパチンコ機」という構成が、
それぞれ認められるものの、
甲第２ないし甲第４号証に記載された各発明の何れにも、前記相違点の前者の構成は、認められない。
　また、前記相違点の前者の構成が従来周知ないし自明の構成であるとも認められない。
　しかも、前者は、前記相違点の前者の構成によって、特許明細書に記載された「プログラムの暴走やノイズ等の事故により設定確率の記憶値が変化したり、あるいは正規操作時と異なる確率を不正に設定しようとした場合でも、確率設定手段によって設定し得る範囲内の中央値に設定されて遊技を継続することができ、遊技場に損害を与えたり、あるいは遊技者との間のトラブルを防止することができる」という効果を奏するものと認められる。
（２−５）むすび
　したがって、本件請求項１に係る発明は、申立人が引用した甲号各証に記載された発明に基いて当業者が容易に発明をすることができたものということはできない。
　また、他に本件請求項１に係る発明の特許を取り消すべき理由を発見しない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年９月１８日（２００３．９．１８）